(57)【要約】【課題】カポタストを任意のフレット位置に装着し、任意の調に移調した状態のギターを、簡単な操作で調律を可能とすることができるチューナを提供する。【解決手段】カポタストの装着位置をフレット番号で入力することにより、そのフレット番号からこのフレット番号で決まる移調先の調の標準ピッチデータを求め、この標準ピッチデータを使って各弦の移調後のピッチを調律する。調律の結果をギターの各弦の位置に対応付けして配置した発光素子で構成される調律弦表示器で表示し、この調律弦表示器の表示により調律している弦と調律の結果の対応を間違いなく調律者に知らせる。【選択図】  図１
2004191614.tif 000002
【特許請求の範囲】
【請求項１】
Ａ、ギターの音を電気信号に変換するマイクロホンと、
Ｂ、このマイクロホンで変換した電気信号から基本周期を抽出する基本周期抽出手段と、
Ｃ、この基本周期抽出手段が抽出した基本周期と設定されている音名の標準ピッチデータとを比較し、上記ギター音のピッチ誤差を算出するピッチ誤差算出手段と、
Ｄ、このピッチ誤差算出手段が算出したピッチ誤差値に従って調律中の弦の調律の結果を表示する複数の発光素子で構成される調律弦表示器と、
Ｅ、カポタストの装着位置を設定する装着位置設定手段と、
Ｆ、この装着位置設定手段で設定した装着位置に従って、上記ピッチ誤差算出手段に移調後の標準ピッチデータを入力するピッチデータ選択手段と、
によって構成したチューナ。
【請求項２】
請求項１記載のチューナにおいて、上記調律弦表示器はギターの弦の配置に対応して一列に配列された複数の発光素子で構成され、この発光素子の配列とほぼ平行してピッチ誤差を表示するためのピッチ誤差表示用の発光素子を配置したことを特徴とするチューナ。
【請求項３】
請求項１又は２記載のチューナの何れかにおいて、上記装着位置設定手段は設定用入力スイッチと、この設定用入力スイッチが入力した値をカポタストの装着位置として表示する表示器とによって構成することを特徴とするチューナ。
【請求項４】
請求項１乃至３記載のチューナの何れかをカポタストの押弦部材に組込んだ構造としたことを特徴とするチューナ。
【請求項５】
請求項４記載のチューナにおいて、カポタストの押弦部材の少なくとも上面にカポタストの装着位置を設定する装着位置設定手段を配置し、上記押弦部材の側面にギターの弦のそれぞれの位置に対応して上記調律弦表示器を構成する発光素子を装着したことを特徴とするチューナ。
【発明の詳細な説明】
【０００１】
【発明の属する技術分野】
この発明はギターの調律に用いるチューナに関し、特にギターにカポタストを装着し移調した状態でも、簡単に然も正確に調律を行うことができるチューナを提供しようとするものである。
【０００２】
【従来の技術】
従来より各種のチューナが市販され実用されている。（特許文献１〜４）その中でもギター専門に開発されたチューナもある。ギター専用に開発されたチューナはピッチ誤差を検出するための標準ピッチデータがギターの６弦の開放弦の音に対して用意され、開放弦の音の調律ができるように構成されている（特許文献１）。
【０００３】
【特許文献１】
実用新案登録第２５８５２２５号明細書
【特許文献２】
特許第２６８１４３２号明細書
【特許文献３】
特許第３０１１３１４号明細書
【特許文献４】
実用新案登録第２５９４２６４号明細書
【０００４】
【発明が解決しようとする課題】
従来のギター専用のチューナはギターの開放弦の音の調律しかできないため、カポタストを装着し、移調した状態にあるギターを調律することはできない欠点がある。移調した状態にあるギターを調律する場合には、調律しようとする音の音名を自由に設定し、変更することができる汎用性のあるチューナを用いなければならない。
また、汎用性のあるチューナを用いたとしても、カポタストの装着位置（装着したフレットの位置）に応じてギターの各弦の移調後の音名に従ってチューナの設定を変更し、調律を行わなくてはならないため、調律には手間が掛かる欠点がある。特にこの場合、ユーザはカポタストの装着位置に対応して各弦の移調後の音名を記憶しているか、又は各フレットの位置毎に移調される音名を表として用意しておき、その表に従って調律器の状態を設定する必要があるため面倒である。
【０００５】
更に、従来のチューナはギターとは別に切り離されて机上に置かれて実用されるから、調律している弦とチューナの設定状態を見比べ、弦の移調後の音名の音と弦との関係を間違わないように注意して調律を進めなくてはならないから、操作も面倒である。
この発明の第１の目的はカポタストを装着して移調した状態のギターでも簡単に然も正確に調律することができるチューナを提供しようとするものである。この発明の第２の目的は調律の結果を表わす表示が弦に接近して対応付けされ、調律している弦と調律の結果とを一見して判定できるチューナを提供しようとするものである。
【０００６】
【課題を解決するための手段】
この発明の請求項１では、ギターの音を電気信号に変換するマイクロホンと、このマイクロホンで変換した電気信号から基本周期を抽出する基本周期抽出手段と、この基本周期抽出手段が抽出した基本周期と設定されている音名の標準ピッチデータとを比較し、ギター音のピッチ誤差を算出するピッチ誤差算出手段と、このピッチ誤差算出手段が算出したピッチ誤差値に従って調律中の弦の調律の結果を表示する複数の発光素子で構成される調律弦表示器と、カポタストの装着位置を設定する装着位置設定手段と、この装着位置設定手段で設定した装着位置に従って、ピッチ誤差算出手段に移調後の標準ピッチデータを入力するピッチデータ選択手段と、によって構成したチューナを提案する。
【０００７】
この発明の請求項２では、請求項１記載のチューナにおいて、調律弦表示器はギターの弦の配置に対応して一列に配列された複数の発光素子で構成され、この発光素子の配列とほぼ平行してピッチ誤差を表示するためのピッチ誤差表示用の発光素子を配置したチューナを提案する。
この発明の請求項３では、請求項１又は２記載のチューナの何れかにおいて、装着位置設定手段は設定用入力スイッチと、この設定用入力スイッチが入力した値をカポタストの装着位置として表示する表示器とによって構成するチューナを提案する。
【０００８】
この発明の請求項４では、請求項１乃至３記載のチューナの何れかをカポタストの押弦部材に組込んだ構造としたチューナを提案する。
この発明の請求項５では、請求項４記載のチューナにおいて、カポタストの押弦部材の少なくとも上面にカポタストの装着位置を設定する装着位置設定手段を配置し、押弦部材の側面にギターの弦のそれぞれの位置に対応して調律弦表示器を構成する発光素子を装着したチューナを提案する。
【０００９】
作用
この発明のチューナによればカポタストをギターに装着した場合に、そのカポタストの装着位置（フレット番号）を装着位置設定手段でチューナに入力すれば、その入力した位置で決まる移調の状態にチューナが設定される。
従って、カポタストをどの位置のフレットに装着してもユーザはそのカポタストの装着位置をチューナに入力するだけでチューナと調律しようとしているギターとの関係を調律可能な状態に設定することができる。
また、この発明ではカポタストの押弦部材にチューナを組み込んで一体とし、調律の結果を表示する調律結果表示器を押弦部材の側面に配置したから、ギターの弦と調律結果の表示とが一目で対応付けすることができる。この結果、取扱いが容易なチューナを提供することができる。
【００１０】
【発明の実施の形態】
図１にこの発明によるチューナの電気的な構成の一例を示す。図中１はマイクロホン、２はこのマイクロホン１から得られる電気信号を増幅する増幅器を示す。増幅器２で所望のレベルに増幅した電気信号をマイクロコンピュータ１０に入力する。
マイクロコンピュータ１０には基本周期抽出手段１１と、調律弦検出手段１２Ａと、ピッチ誤差算出手段１２Ｂと、発光素子点灯制御手段１３Ａ、１３Ｂと、ピッチデータ記憶手段１４と、このピッチデータ記憶手段１４に記憶したピッチデータから、所望のピッチデータを選択するピッチデ−タ選択手段１５と、カポタストの装着位置を記憶する装着位置記憶手段１６とが設けられる。
【００１１】
装着位置記憶手段１６には装着位置設定手段１７が接続される。装着位置設定手段１７はこの実施例では２個の押釦スイッチで構成した設定用入力スイッチ１７Ａ、１７Ｂと、表示器１７Ｃとによって構成した場合を示す。つまり、この例では装着位置記憶手段１６をアップダウンカウンタで構成し、このアップダウンカウンタの加算入力端子＋に一方の設定用入力スイッチ１７Ａを接続し、他方の設定用入力スイッチ１７Ｂを減算入力端子−に接続した場合を示す。
この接続により設定用入力スイッチ１７Ａを１回押下操作すると装着位置記憶手段１６は「１」を記憶する。更にもう１回押下操作すると、装着位置記憶手段１６は「２」を記憶する。一方、他方の押釦１７Ｂを押下操作すると、その押下操作した回数に従って記憶値が減算される。表示器１７Ｃは数学表示器が用いられ、この表示器１７Ｃに装着位置記憶手段１６に記憶している装着位置を表わす数値を表示する。
【００１２】
ここで、装着位置を表わす数値の意味するところを説明する。ギターは図２に示すように共振器を構成する胴３０と、この胴３０から突出した指盤３１と、糸巻き部３２と、胴３０から糸巻き部３２との間に張り渡された弦３３と、弦３３を開放弦の長さに規定するブリッジ３４及びナット３５と、指盤３１に配列されたフレット３６とによって構成される。
フレット３６はナット３５側から１番フレット、２番フレット、３番フレット…のように番号が付されている。カポタストはフレットとフレットの間の位置に装着し、弦３３の全てをカポタストの両側に位置するフレット３６に抑え付ける。カポタストによって抑え付けられた弦３３はカポタストからブリッジ側に位置するフレットとブリッジ３４との間の寸法で決まる調に移調される。具体的にはナット３５と１番フレットの間にカポタストを装着すると全ての弦３３は１番フレットで決まる調、つまり、開放弦の調から半音上がった調に移調される。更に、１番フレットと２番フレットとの間にカポタストを装着すると、全ての弦３３は開放弦の調から２番フレットの位置で決まる１音上がった調に移調される。このようにして、カポタストの装着位置によって移調先が決定される。
【００１３】
装着位置記憶手段１６に記憶する数値は、上記したフレットの番号に対応し、例えば０〜１０までの数値が設定可能とされ、設定された数値が表示器１７Ｃに表示される。尚、数値「０」はカポタストが非装着の場合の設定値（開放弦の状態）を指す。
ピッチデータ記憶手段１４にはギターの各弦の開放弦の場合の標準ピッチデータと、各フレット番号で決まる移調時の各標準ピッチデータが記憶される。ピッチデータ選択手段１５は装着位置記憶手段１６から与えられる数値に従って、ピッチデータ記憶手段１４のアドレスをアクセスし、目的とする標準ピッチデータを読み出して調律弦検出手段１２Ａとピッチ誤差算出手段１２Ｂに印加する。
【００１４】
装着位置記憶手段１６に例えば「０」が設定されている場合はピッチデータ選択手段１５はピッチデータ記憶手段１４から開放弦に対応した標準ピッチデータを読み出し、その標準ピッチデータを調律弦検出手段１２Ａとピッチ誤差算出手段１２Ｂに印加する。
装着位置記憶手段１６に、例えば「５」が設定されている場合はピッチデータ選択手段１５はピッチデータ記憶手段１４から５番フレットで決まる移調先のピッチデータを読み出し、このピッチデータを調律弦検出手段１２Ａとピッチ誤差算出手段１２Ｂに印加する。このように、ピッチデータ選択手段１５は装着位置記憶手段１６に記憶されている数値に従ってピッチデータ記憶手段１４からその数値（フレット番号）に対応した移調先の標準ピッチデータを読み出してそのピッチデータを調律弦検出手段１２Ａとピッチ誤差算出手段１２Ｂに印加する。
【００１５】
調律弦検出手段１２Ａの検出出力とピッチ誤差算出手段１２Ｂの算出結果は発光素子点灯制御手段１３Ａと１３Ｂに入力され、これら発光素子点灯制御手段１３Ａと１３Ｂにより調律弦表示器１８Ａとピッチ誤差表示器１８Ｂの各発光素子が点灯制御されて調律している弦と、そのピッチ誤差を表示する。
ここで、調律弦表示器１８Ａとピッチ誤差表示器１８Ｂの一例を図３に示す。図３に示す例では調律器を格納してケース４０の表面にギターの各弦を表わす線４１、４２、…４６を描く、各線４１〜４６には弦の番号を（１）〜（６）を付す。各線４１〜４６の途中に発光素子ＬＥ１、ＬＥ２、…ＬＥ６を配置し、これら６個の発光素子ＬＥ１〜ＬＥ６で調律弦表示器１８Ａを構成する。
【００１６】
一方、線４１〜４６を挟んで発光素子ＬＤ１、ＬＤ２、…ＬＤ７を配置する。これらの発光素子ＬＤ１、ＬＤ２、…ＬＤ７によりピッチ誤差表示器１８Ｂを構成する。
尚、ケース４０の表面には装着位置設定手段１７と電源スイッチ４７が設けられる。装着位置設定手段１７は設定入力スイッチ用１７Ａと１７Ｂと表示器１７Ｃとによって構成される。
調律弦検出手段１２Ａは基本周期抽出手段１１から入力される基本周期とピッチデータ選択手段１５から印加される各弦に割当てられている標準ピッチデータとを比較し、測定した基本周期に最も近い標準ピッチデータを検出する。
【００１７】
測定した基本周期に最も近い標準ピッチデータが検出されると、その標準ピッチデータによりどの弦の標準ピッチデータであるかが検出され、調律している弦を特定することができる。
調律している弦が特定されると、その弦に対応する発光素子ＬＥ１〜ＬＥ６のいずれかが指定され発光の準備が完了する。調律弦表示器１８Ａの発光素子ＬＥ１〜ＬＥ７が点灯するには測定された基本周期が標準ピッチに対して例えばプラス、マイナス１〜３セント程度の範囲に入ると点灯させる。このために、ピッチ誤差算出手段１２Ｂが設けられ、このピッチ誤差算出手段１２Ｂの算出結果がプラス、マイナス１〜３セントの範囲に入ると、調律弦表示器１８Ａを構成する発光素子ＬＥ１〜ＬＥ６の何れかが点灯し、その弦の調律が完了したことを表示する。例えば第６弦を調律する場合、第６弦の音が標準ピッチより低い周波数にずれている場合は、ピッチ誤差表示器１８Ｂを構成している発光素子ＬＤ７が点灯し、第６弦の音が標準ピッチより低い方にずれいていることを表示する。調律者はこの表示により第６弦の張力を強くし、第６弦の音の周波数を上昇させる。第６弦の音の周波数が標準ピッチに近づき、標準ピッチに対してプラス、マイナスたとえば２セントの範囲に入ると発光素子ＬＥ６が点灯する。この点灯により第６弦が正しく調律されたことが解る。
【００１８】
次に、第５弦を調律する場合、第５弦の音の周波数が標準ピッチより低い側にずれている場合には発光素子ＬＤ７、ＬＤ６のいずれか一方、又はＬＥ６の何れかが点灯し、第５弦の音の周波数が低い方にずれていることが解る。（第５弦の音を出した場合に、調律弦表示器１８Ａを構成する発光素子ＬＥ６が点灯しても、この発光素子ＬＥ６は第５弦の位置とは異なる位置で点灯するから、第５弦が正しく調律されたと誤解することはない）従って、調律者は第５弦の張力を高め、第５弦の音の周波数を上昇させると、例えば発光素子ＬＤ７−ＬＥ６−ＬＤ６の順に点灯する。第５弦の音の周波数が標準ピッチの範囲に入ると発光素子ＬＥ５が点灯し、第５弦が正しく調律されたことが解る。
【００１９】
第５弦を調律する場合、発光素子ＬＤ５、ＬＤ４、ＬＤ３又はＬＥ４等が点灯したとすると、第５弦の音の周波数が高い方にずれていることが解る。このような場合は第５弦の張力を弱め第５弦の音の周波数を発光素子ＬＥ５が点灯する状態になるまで下げればよい。
以上により、この発明によるチューナの電気的な構成及び動作に関して理解されよう。上述した実施例では図３に示したようにこの発明によるチューナをケース４０に組込んだ実施例を説明したが、この発明では更に、この発明によるチューナをカポタストの弦押部材に組込んだ構成を提案する。
【００２０】
図４及び５にその実施例を示す。図４及び図５に示す符号５０はカポタストの弦押部材を示す。カポタストの弦押部材５０は周知のようにギターの指盤３１の幅と同等かわずかに長い程度の長方形の角柱体で構成され、この例ではベルト５１によって指盤３１に締付けられるように構成した場合を示す。弦３３を抑える面は図６に示す様に円弧面５２とされ、フレットとフレットの間で弦３３を均一に指盤３１に押さえつける。
弦押部材５０の上面に装着位置設定手段１７を構成する設定入力用スイッチ１７Ａと１７Ｂを装着し、端面に表示器１７Ｃを装着した場合を示す。表示器１７Ｃを装着した端面はカポタストをギターに装着した場合に第６弦側の端面とする。
【００２１】
弦押部材５０の長手方向の側面に調律弦表示器１８Ａを構成する発光素子ＬＥ１〜ＬＥ６とピッチ誤差表示器１８Ｂを構成する発光素子ＬＤ１〜ＬＤ７を装着する。この装着面は弦押部材５０を表示器１７Ｃを装着した端面が第６弦側に位置する姿勢に装着した状態でブリッジ３４（図２参照）に向いた側面とする。調律弦表示器１８Ａを構成する発光素子ＬＥ１〜ＬＥ６は図５に示すようにギターの各弦３３−１〜３３−６と対向して配置する。
更に、この例では発光素子ＬＥ１〜ＬＥ６の配列と同一線上にピッチ誤差表示器１８Ｂを構成する発光素子ＬＤ１〜ＬＤ７を配置した場合を示す。
【００２２】
このように各発光素子ＬＥ１〜ＬＥ６及びＬＤ１〜ＬＤ７を配置することにより、ピッチ誤差と、調律している弦が正しく調律されたか否かを一目で見ることができ使い勝手の良いチューナを提供することができる。
尚、上述ではピッチデータ記憶手段１４にカポタストの装着位置毎に移調先の標準ピッチデータを記憶しておくものとして説明したが、他の方法として、ピッチデータ記憶手段１４には例えば開放弦に対する標準ピッチデータを記憶しておき、この標準ピッチデータを基に装着位置記憶手段１６に記憶したフレット番号に応じて移調先の標準ピッチデータを算出するように構成することもできる。
【００２３】
【発明の効果】
以上説明したように、この発明によればギターにカポタストを装着し、移調した場合、カポタストの装着位置をチューナに設定するだけの操作で直ちに調律を行うことができる。特にカポタストにチューナを組込んだ構造にした場合には、ギターの弦と調律の結果を表わす発光素子の位置が１対１で対応して配置されるため、調律している弦と調律の結果を表わす表示とがよく対応し取扱いが容易なチューナを提供することができる。
【図面の簡単な説明】
【図１】この発明によるチューナの電気的な構成を説明するためのブロック図。
【図２】ギターの構造を説明するための側面図。
【図３】この発明のチューナの外観構造の一例を説明するための正面図。
【図４】この発明によるチューナをカポタストに一体に組込んだ実施例を説明するための斜視図。
【図５】図４に示した実施例の要部の構造を説明するための一部を断面で示した側面図。
【図６】この発明の実施例で用いたカポタストの押し弦部材の構造を説明するための正面図。
【符号の説明】
１      マイクロホン                １５      ピッチデータ選択手段
２      増幅器                      １６      装着位置記憶手段
１０      マイクロコンピュータ        １７      装着位置設定手段
１１      基本周期抽出手段            １７Ａ    設定用入力スイッチ
１２Ａ    調律弦検出手段              １７Ｂ    設定用入力スイッチ
１２Ｂ    ピッチ誤差算出手段          １７Ｃ    表示器
１３Ａ    発光素子点灯制御手段        １８Ａ    調律弦表示器
１３Ｂ    発光素子点灯制御手段        １８Ｂ    ピッチ誤差表示器
１４      ピッチデータ記憶手段
【図１】
2004191614.tif 000003
【図２】
2004191614.tif 000004
【図３】
2004191614.tif 000005
【図４】
2004191614.tif 000006
【図５】
2004191614.tif 000007
【図６】
2004191614.tif 000008